(57)【要約】【課題】インターネット網に接続したクライアント端末が存在する地理的位置を特定し、対象地域内に存在するクライアント端末のみにコンテンツデータを配信できるようにする。【解決手段】インターネット網を介して通信可能に接続されるクライアント端末との接続経路情報、クライアント端末からの一意な第１のユーザー情報、携帯電話端末側からの第２のユーザー情報及び地理的情報を取得して、第１のユーザー情報と第２のユーザー情報との対応によりクライアント端末に係る地理的情報を特定し、特定された地理的情報に応じて所定の地域内でのみ再生可能なようにコンテンツデータを配信するようにして、クライアント端末が存在する地理的位置を特定し、対象地域内に存在するクライアント端末のみにコンテンツデータを配信し再生させることができるようにする。【選択図】図１
2008262495.tif 000002
【特許請求の範囲】
【請求項１】
コンテンツ配信装置とクライアント端末とがインターネット網を介して通信可能に接続されるコンテンツ配信システムであって、
前記コンテンツ配信装置は、
前記クライアント端末との接続経路情報を取得する経路情報取得手段と、
前記クライアント端末から送信される一意な第１のユーザー情報を受信する第１の受信手段と、
前記クライアント端末と同じユーザーが使用する携帯電話端末側から送信される第２のユーザー情報及び地理的情報を受信する第２の受信手段と、
前記第１のユーザー情報と前記第２のユーザー情報との対応により前記クライアント端末に係る地理的情報を特定する位置特定手段と、
前記位置特定手段により特定された前記クライアント端末に係る地理的情報に応じて、所定の地域内でのみ再生可能なようにコンテンツデータを配信する配信手段とを備えることを特徴とするコンテンツ配信システム。
【請求項２】
インターネット網を介してコンテンツデータを配信するコンテンツ配信装置であって、
前記インターネット網を介して通信可能に接続されるクライアント端末との接続経路情報を取得する経路情報取得手段と、
前記クライアント端末から送信される一意な第１のユーザー情報を受信する第１の受信手段と、
前記クライアント端末と同じユーザーが使用する携帯電話端末側から送信される第２のユーザー情報及び地理的情報を受信する第２の受信手段と、
前記第１のユーザー情報と前記第２のユーザー情報との対応により前記クライアント端末に係る地理的情報を特定する位置特定手段と、
前記位置特定手段により特定された前記クライアント端末に係る地理的情報に応じて、所定の地域内でのみ再生可能なようにコンテンツデータを配信する配信手段とを備えることを特徴とするコンテンツ配信装置。
【請求項３】
前記配信手段は、
前記コンテンツデータを暗号化して送信する第１の送信手段と、
前記第１の送信手段より送信される暗号化されたコンテンツデータを復号するための第１のキー情報を、前記位置特定手段により特定された前記クライアント端末に係る地理的情報に応じて送信する第２の送信手段とを備えることを特徴とする請求項２記載のコンテンツ配信装置。
【請求項４】
前記第１の送信手段は、
前記コンテンツデータを配信地域に基づいて暗号化する第１の暗号化手段と、
前記第１の暗号化手段により暗号化されたコンテンツデータを復号するための第２のキー情報を、前記第１のキー情報により暗号化する第２の暗号化手段とを有し、
前記第１の暗号化手段により暗号化されたコンテンツデータ及び前記第２の暗号化手段により暗号化された前記第１のキー情報を送信することを特徴とする請求項３記載のコンテンツ配信装置。
【請求項５】
前記第２の送信手段は、前記位置特定手段により特定された前記クライアント端末に係る地理的情報に基づいて、前記クライアント端末が前記配信地域内に存在すると判断した場合には、前記第１のキー情報を前記クライアント端末に送信することを特徴とする請求項４記載のコンテンツ配信装置。
【請求項６】
予め取得した前記第１のユーザー情報、前記接続経路情報、及び前記位置特定手段により特定された前記クライアント端末に係る地理的情報が対応付けて記憶されるユーザーデータベースを備え、
前記位置特定手段は、接続時に取得される前記第１のユーザー情報及び前記接続経路情報が、前記ユーザーデータベースに記憶されている前記第１のユーザー情報及び前記接続経路情報と一致する場合には、前記ユーザーデータベースに記憶されている前記クライアント端末に係る地理的情報を用いることを特徴とする請求項２〜５の何れか１項に記載のコンテンツ配信装置。
【請求項７】
前記第２の受信手段が受信する地理的情報は、前記クライアント端末と同じユーザーが使用する携帯電話端末から送信された情報であることを特徴とする請求項２〜６の何れか１項に記載のコンテンツ配信装置。
【請求項８】
前記第２の受信手段が受信する地理的情報は、前記クライアント端末と同じユーザーが使用する携帯電話端末が接続した携帯電話基地局から送信された情報であることを特徴とする請求項２〜６の何れか１項に記載のコンテンツ配信装置。
【請求項９】
インターネット網を介して通信可能に接続されるクライアント端末から送信される一意な第１のユーザー情報を受信する第１の受信手段と、
前記クライアント端末と同じユーザーが使用する携帯電話端末側から送信される第２のユーザー情報及び地理的情報を受信する第２の受信手段と、
前記第１のユーザー情報と前記第２のユーザー情報との対応により前記クライアント端末に係る地理的情報を特定する位置特定手段とを備えることを特徴とする情報処理装置。
【請求項１０】
インターネット網を介してコンテンツデータを配信するコンテンツ配信方法であって、
前記インターネット網を介して通信可能に接続されるクライアント端末との接続経路情報を取得する経路情報取得ステップと、
前記クライアント端末から送信される一意な第１のユーザー情報を受信する第１の受信ステップと、
前記クライアント端末と同じユーザーが使用する携帯電話端末側から送信される第２のユーザー情報及び地理的情報を受信する第２の受信ステップと、
前記第１のユーザー情報と前記第２のユーザー情報との対応により前記クライアント端末に係る地理的情報を特定する位置特定ステップと、
前記位置特定ステップにて特定された前記クライアント端末に係る地理的情報に応じて、所定の地域内でのみ再生可能なようにコンテンツデータを配信する配信ステップとを有することを特徴とするコンテンツ配信方法。
【請求項１１】
インターネット網を介してコンテンツデータを配信する処理をコンピュータに実行させるプログラムであって、
前記インターネット網を介して通信可能に接続されるクライアント端末との接続経路情報を取得する経路情報取得ステップと、
前記クライアント端末から送信される一意な第１のユーザー情報を受信する第１の受信ステップと、
前記クライアント端末と同じユーザーが使用する携帯電話端末側から送信される第２のユーザー情報及び地理的情報を受信する第２の受信ステップと、
前記第１のユーザー情報と前記第２のユーザー情報との対応により前記クライアント端末に係る地理的情報を特定する位置特定ステップと、
前記位置特定ステップにて特定された前記クライアント端末に係る地理的情報に応じて、所定の地域内でのみ再生可能なようにコンテンツデータを配信する配信ステップとをコンピュータに実行させるためのプログラム。
【発明の詳細な説明】
【技術分野】
【０００１】
本発明は、コンテンツ配信システム、コンテンツ配信装置、情報処理装置、コンテンツ配信方法、及びプログラムに関し、インターネットを介したコンテンツデータの配信技術に関する。
【背景技術】
【０００２】
著作権法の改正により、ＩＰ（Internet Protocol）マルチキャスト放送による放送の同時再送信が可能となった。
【発明の開示】
【発明が解決しようとする課題】
【０００３】
ＩＰマルチキャスト放送による放送の同時再送信においては、受信される地域が当該放送に係る放送対象地域に限定されるため、コンテンツデータを受信するユーザーの地域を特定することが必要となる。すなわち、ＩＰマルチキャスト放送による放送の同時再送信を実現するためには、ユーザーが使用するクライアント端末（コンピュータ等）が放送対象地域内に存在することを特定し、そのクライアント端末にのみコンテンツデータを配信する仕組みが求められる。
【０００４】
しかしながら、インターネット網は、地理的な位置とは独立した構造を持つため、インターネットに接続したクライアント端末が存在する地理的位置を正確に特定することは技術的に困難である。したがって、ある特定の地域内に存在するユーザーに向けたインターネットでのコンテンツデータの配信は困難であるという問題がある。
【０００５】
本発明の目的は、インターネット網に接続したクライアント端末が存在する地理的位置を特定し、対象地域内に存在するクライアント端末のみにコンテンツデータを配信できるようにする。
【課題を解決するための手段】
【０００６】
本発明のコンテンツ配信システムは、コンテンツ配信装置とクライアント端末とがインターネット網を介して通信可能に接続されるコンテンツ配信システムであって、前記コンテンツ配信装置は、前記クライアント端末との接続経路情報を取得する経路情報取得手段と、前記クライアント端末から送信される一意な第１のユーザー情報を受信する第１の受信手段と、前記クライアント端末と同じユーザーが使用する携帯電話端末側から送信される第２のユーザー情報及び地理的情報を受信する第２の受信手段と、前記第１のユーザー情報と前記第２のユーザー情報との対応により前記クライアント端末に係る地理的情報を特定する位置特定手段と、前記位置特定手段により特定された前記クライアント端末に係る地理的情報に応じて、所定の地域内でのみ再生可能なようにコンテンツデータを配信する配信手段とを備えることを特徴とする。
本発明のコンテンツ配信装置は、インターネット網を介してコンテンツデータを配信するコンテンツ配信装置であって、前記インターネット網を介して通信可能に接続されるクライアント端末との接続経路情報を取得する経路情報取得手段と、前記クライアント端末から送信される一意な第１のユーザー情報を受信する第１の受信手段と、前記クライアント端末と同じユーザーが使用する携帯電話端末側から送信される第２のユーザー情報及び地理的情報を受信する第２の受信手段と、前記第１のユーザー情報と前記第２のユーザー情報との対応により前記クライアント端末に係る地理的情報を特定する位置特定手段と、前記位置特定手段により特定された前記クライアント端末に係る地理的情報に応じて、所定の地域内でのみ再生可能なようにコンテンツデータを配信する配信手段とを備えることを特徴とする。
本発明の情報処理装置は、インターネット網を介して通信可能に接続されるクライアント端末から送信される一意な第１のユーザー情報を受信する第１の受信手段と、前記クライアント端末と同じユーザーが使用する携帯電話端末側から送信される第２のユーザー情報及び地理的情報を受信する第２の受信手段と、前記第１のユーザー情報と前記第２のユーザー情報との対応により前記クライアント端末に係る地理的情報を特定する位置特定手段とを備えることを特徴とする。
本発明のコンテンツ配信方法は、インターネット網を介してコンテンツデータを配信するコンテンツ配信方法であって、前記インターネット網を介して通信可能に接続されるクライアント端末との接続経路情報を取得する経路情報取得ステップと、前記クライアント端末から送信される一意な第１のユーザー情報を受信する第１の受信ステップと、前記クライアント端末と同じユーザーが使用する携帯電話端末側から送信される第２のユーザー情報及び地理的情報を受信する第２の受信ステップと、前記第１のユーザー情報と前記第２のユーザー情報との対応により前記クライアント端末に係る地理的情報を特定する位置特定ステップと、前記位置特定ステップにて特定された前記クライアント端末に係る地理的情報に応じて、所定の地域内でのみ再生可能なようにコンテンツデータを配信する配信ステップとを有することを特徴とする。
本発明のプログラムは、インターネット網を介してコンテンツデータを配信する処理をコンピュータに実行させるプログラムであって、前記インターネット網を介して通信可能に接続されるクライアント端末との接続経路情報を取得する経路情報取得ステップと、前記クライアント端末から送信される一意な第１のユーザー情報を受信する第１の受信ステップと、前記クライアント端末と同じユーザーが使用する携帯電話端末側から送信される第２のユーザー情報及び地理的情報を受信する第２の受信ステップと、前記第１のユーザー情報と前記第２のユーザー情報との対応により前記クライアント端末に係る地理的情報を特定する位置特定ステップと、前記位置特定ステップにて特定された前記クライアント端末に係る地理的情報に応じて、所定の地域内でのみ再生可能なようにコンテンツデータを配信する配信ステップとをコンピュータに実行させることを特徴とする。
【発明の効果】
【０００７】
本発明によれば、クライアント端末からの第１のユーザー情報と、携帯電話端末側からの第２のユーザー情報及び地理的情報とに基づいて、クライアント端末に係る地理的情報が特定され、特定されたクライアント端末に係る地理的情報に応じて、所定の地域内でのみ再生可能なようにコンテンツデータが配信されるので、インターネット網に接続したクライアント端末が存在する地理的位置を特定でき、対象地域内に存在するクライアント端末のみにコンテンツデータを配信し再生させることができる。
【発明を実施するための最良の形態】
【０００８】
以下、本発明の実施形態を図面に基づいて説明する。
【０００９】
（第１の実施形態）
図１は、本発明の第１の実施形態による地域指定型コンテンツ配信システムの構成例を示すブロック図である。
【００１０】
図１に示すように、第１の実施形態による地域指定型コンテンツ配信システムは、コンテンツ配信装置１０Ａ、携帯電話端末２０Ａ、携帯電話基地局３０、及びクライアント端末４０を有する。コンテンツ配信装置１０Ａとクライアント端末４０はインターネット５０を介して通信可能に構成され、同様にコンテンツ配信装置１０Ａと携帯電話基地局３０はインターネット５０を介して通信可能に構成されている。携帯電話端末２０Ａは、携帯電話基地局３０と通信可能に構成されている。携帯電話端末２０Ａとクライアント端末４０は、ある特定のユーザーに所有され操作される。
【００１１】
＜コンテンツ配信装置＞
コンテンツ配信装置１０Ａの構成について説明する。コンテンツ配信装置１０Ａは、図２に示すように、通信部１０１、入力部１０２、及び処理部１０３を有する。図２は、コンテンツ配信装置１０Ａの構成例を示すブロック図である。
【００１２】
通信部１０１は、コンテンツ配信装置１０Ａをインターネットに対して接続するための通信インターフェースなどにより構成される。通信部１０１は、処理部１０３での処理の実行結果に基づく情報を、インターネット５０を介して外部の装置に送信する。また、通信部１０１は、インターネット５０を介してコンテンツ配信装置宛てに送られてきた情報を受信して処理部１０３に出力する。
【００１３】
入力部１０２は、コンテンツ情報を処理部１０３に入力するためのものである。ここで、コンテンツ情報には、コンテンツ配信装置１０Ａにより配信するコンテンツデータと、その配信地域の情報を含む。また、コンテンツデータは、図示しない受信装置等により受信された放送番組に係るコンテンツデータであっても良いし、図示しない蓄積装置に蓄積されているコンテンツデータであっても良い。例えば、図示しない受信装置等により受信された放送番組に係るコンテンツデータを入力部１０２より入力することで、コンテンツ配信装置１０Ａによって、いわゆる放送の同時再送信を実現するようにしても良い。
【００１４】
処理部１０３は、ＣＰＵ、ＲＯＭ、ＲＡＭ、及びハードディスク等により構成され、ＣＰＵが、ＲＯＭなどに記憶されている処理プログラムを読み出して実行することにより、コンテンツ配信装置１０Ａにおける各種処理動作を制御する。
【００１５】
処理部１０３は、表示情報生成部１０４、端末地理情報取得部１０５、ネットワーク経路情報取得部１０６、ユーザー情報登録部１０７、ユーザーデータベース１０８、ユーザー情報取得部１０９、ユーザー情報認証部１１０、コンテンツ入力部１１１、コンテンツキー生成部１１２、コンテンツデータ暗号化部１１３、コンテンツデータ送信部１１４、アクティベーションキー生成部１１５、及びアクティベーションキー送信部１１６、コンテンツキー暗号化部１１７、及びコンテンツキー送信部１１８を有する。
【００１６】
表示情報生成部１０４は、処理部１０３内で実行された処理の結果に基づいて、クライアント端末４０もしくは携帯電話端末２０Ａに供給する情報を生成し、通信部１０１に出力する。
【００１７】
端末地理情報取得部１０５は、携帯電話端末２０Ａに係る携帯電話端末地理情報が通信部１０１を介して入力される。携帯電話端末地理情報には、携帯電話端末２０Ａを所有するユーザー情報と携帯電話端末２０Ａの具体的な位置情報が含まれている。また、携帯電話端末地理情報として、携帯電話端末２０Ａを特定する識別情報をさらに含んでも良い。
【００１８】
ネットワーク経路情報取得部１０６は、クライアント端末４０に係るネットワーク経路情報が通信部１０１を介して入力される。ネットワーク経路情報には、クライアント端末４０からコンテンツ配信装置１０Ａまでのインターネット上のネットワーク経路情報、及びクライアント端末４０を所有するユーザー情報が含まれている。
【００１９】
ユーザー情報登録部１０７は、端末地理情報取得部１０５を介して入力される携帯電話端末地理情報と、ネットワーク経路情報取得部１０６を介して入力されるネットワーク経路情報を、所有するユーザー情報に基づき結びつけ、一つの登録データとしてユーザーデータベース１０８に登録する。ユーザーデータベース１０８に登録される登録データには、ネットワーク経路情報と携帯電話端末地理情報が含まれる。
【００２０】
ユーザー情報取得部１０９は、クライアント端末４０からの通信要求が通信部１０１を介して入力される。通信要求には、クライアント端末４０を所有するユーザー情報が含まれる。
【００２１】
ユーザー情報認証部１１０は、ユーザー情報取得部１０９を介して入力されたユーザー情報に基づき、そのユーザー情報に対応するクライアント端末４０の所有者の登録データをユーザーデータベース１０８から取得するとともに、ネットワーク経路取得部１０６を介してクライアント端末４０のネットワーク経路情報を取得する。ユーザー情報認証部１１０は、登録データに含まれるクライアント端末４０のネットワーク経路情報と、ネットワーク経路取得部１０６を介して取得したネットワーク経路情報とが合致するか認証する。
【００２２】
コンテンツ入力部は、入力部１０２を介してコンテンツ情報が入力され、入力されたコンテンツ情報をアクティベーションキー生成部１１５、コンテンツキー生成部１１２、及びコンテンツデータ暗号化部１１３に出力する。
【００２３】
コンテンツキー生成部１１２は、コンテンツキー入力部１１１からのコンテンツ情報に含まれる配信地域の情報に基づき、一意なコンテンツキーを生成して、コンテンツデータ暗号化部１１３及びコンテンツキー暗号化部１１７に出力する。
【００２４】
コンテンツデータ暗号化部１１３は、供給されるコンテンツキーに基づいて、コンテンツキー入力部１１１からのコンテンツ情報に含まれるコンテンツデータを一意に暗号化する。そして、コンテンツデータ暗号化部１１３は、暗号化されたコンテンツデータをコンテンツデータ送信部１１４に出力する。コンテンツデータ送信部１１４は、暗号化されたコンテンツデータを通信部１０１を介して送信する。
【００２５】
アクティベーションキー生成部１１５は、ユーザー情報認証部１１０による認証結果と、登録データに含まれる地域情報に基づき、クライアント端末４０にコンテンツを配信するか否かを判断する。判断の結果、コンテンツを配信する場合には、アクティベーションキー生成部１１５は、クライアント端末４０に固有のアクティベーションキーを生成して、アクティベーションキー送信部１１６及びコンテンツキー暗号化部１１７に出力する。アクティベーションキー送信部１１６は、供給されるアクティベーションキーを通信部１０１を介して送信する。
【００２６】
コンテンツキー暗号化部１１７は、供給されるアクティベーションキーに基づき、コンテンツキーを暗号化してコンテンツキー送信部１１８に出力する。コンテンツキー送信部１１８は、暗号化されたコンテンツキーを通信部１０１を介して送信する。
【００２７】
＜クライアント端末＞
次に、クライアント端末４０の構成について説明する。クライアント端末４０は、入力部４１、出力部４２、処理部４３、及び通信部４４を有する。
【００２８】
入力部４１は、例えばキーボードなどにより構成されるインターフェース装置である。クライアント端末４１のユーザーは、入力部４１を介して処理を実行させるための指示入力を行う。
【００２９】
出力部４２は、例えば液晶ディスプレイ、ＣＲＴ、スピーカーなどにより構成されるインターフェース装置である。出力部４２は、処理部４３で実行された処理結果に係る情報を、クライアント端末４０のユーザーに伝える機能を有する。
【００３０】
処理部４３は、ＣＰＵ、ＲＯＭ、ＲＡＭ、及びハードディスク等により構成され、ＣＰＵが、ＲＯＭなどに記憶されている処理プログラムを読み出して実行することにより、クライアント端末４０における各種処理動作を制御する。なお、処理部４３の機能構成については後述する。
【００３１】
通信部４４は、クライアント端末４０をインターネットに対して接続するためのインターフェースなどにより構成される。通信部４４は、処理部４３での処理の実行結果に基づく情報をインターネット５０に送信する。また、通信部４３は、インターネット５０を介してクライアント端末宛に配信された情報を受信して処理部４３に出力する。
【００３２】
図３は、処理部４３の機能構成例を示す図である。
処理部４３は、ユーザー情報送信部２０１、アクティベーションキー取得部２０２、コンテンツキー取得部２０３、コンテンツキー復号部２０４、コンテンツデータ取得部２０５、コンテンツデータ復号部２０６、再生部２０７、及び情報表示部２０８を有する。
【００３３】
ユーザー情報送信部２０１は、入力部４１を介して処理部４３に入力されたユーザー情報を通信部４４に出力する。ユーザー情報には、クライアント端末の所有者を一意に表す情報、例えばユーザーＩＤとそれを保護するためのパスワード等が含まれる。ユーザー情報送信部２０１へのユーザー情報の入力は、入力部４１を介して入力するのではなく、処理部４３内に保存されているユーザー情報が入力されるようにしても良い。
【００３４】
アクティベーションキー取得部２０２は、アクティベーションキーが通信部４４を介して入力され、入力されたアクティベーションキーをコンテンツキー復号部２０４に出力する。コンテンツキー取得部２０３は、暗号化されたコンテンツキーが通信部４４を介して入力され、入力される暗号化されたコンテンツキーをコンテンツキー復号部２０４に出力する。
【００３５】
コンテンツキー復号部２０４は、アクティベーションキーを用いて、暗号化されたコンテンツキーを復号する。そして、コンテンツキー復号部２０４は、復号されたコンテンツキーをコンテンツデータ復号部２０６に出力する。コンテンツデータ取得部２０５は、暗号化されたコンテンツデータが通信部４４を介して入力され、入力される暗号化されたコンテンツデータをコンテンツデータ復号部２０６に入力する。
【００３６】
コンテンツデータ復号部２０６は、コンテンツキー復号部２０４により復号されたコンテンツキーに基づき、暗号化されたコンテンツデータを復号する。そして、コンテンツデータ復号部２０６は、復号されたコンテンツデータを再生部２０７に出力する。再生部２０７は、コンテンツデータ復号部２０６により復号されたコンテンツデータに基づき、情報を出力部４２に出力する。
【００３７】
情報表示部２０８は、通信部４４を介して受信した情報、もしくは処理部４３で実行された処理の結果に基づく情報を、出力部４２に出力する。
【００３８】
＜携帯電話端末＞
次に、携帯電話端末２０Ａの構成について説明する。携帯電話端末２０Ａは、入力部２１、出力部２２、処理部２３、通信部２４、ＧＰＳ部２５を有する。
【００３９】
入力部２１は、例えばボタン、カメラ、マイクなどにより構成されるインターフェース装置である。携帯電話端末２０Ａのユーザーは、入力部２１を介して携帯電話端末２０Ａで処理を実行させるための情報を入力する。
【００４０】
出力部２２は、例えばスピーカーや携帯電話端末の本体などに埋め込まれた液晶ディスプレイなどにより構成されるインターフェース装置である。出力部２２は、処理部２３で実行された処理結果に基づく情報を、携帯電話端末２０Ａのユーザーに伝える機能を有する。
【００４１】
処理部２３は、ＣＰＵ、ＲＯＭ、ＲＡＭなどにより構成され、ＣＰＵが、ＲＯＭなどに記憶されている処理プログラムを読み出して実行することにより、携帯電話端末２０Ａにおける各種処理動作を制御する。
【００４２】
通信部２４は、携帯電話端末２０Ａを携帯電話基地局３０に対して接続するための通信インターフェースや、アンテナなどにより構成される。通信部２４は、処理部２３での処理の実行結果に基づく情報を携帯電話基地局３０に送信する。また、通信部２４は、携帯電話基地局３０から携帯電話端末宛に送信された情報を受信して処理部２３に出力する。
【００４３】
ＧＰＳ部２５は、ＧＰＳ衛星からの電波信号を受け取る通信インターフェースなどにより構成され、携帯電話端末２０Ａの地理的情報を特定し、処理部２３にこの地理的情報を出力する。
【００４４】
次に、第１の実施形態における所有者の位置（クライアント端末４０が存在する位置）を示す位置情報を取得する位置情報取得処理の一例を、図４を参照して説明する。
【００４５】
まず、ステップＳＡ１にて、クライアント端末４０は、ユーザー情報をコンテンツ配信装置１０Ａに送信する。次に、ステップＳＡ２にて、コンテンツ配信装置１０Ａのユーザー情報取得部１０９は、クライアント端末４０から送信されたユーザー情報を取得する。ステップＳＡ３にて、コンテンツ配信装置１０Ａのネットワーク経路情報取得部１０６は、ユーザー情報を送信したクライアント端末４０のネットワーク経路情報を取得する。
【００４６】
次に、ステップＳＡ４にて、コンテンツ配信装置１０Ａのユーザー情報登録部１０７は、ステップＳＡ２において取得したユーザー情報と、ステップＳＡ３において取得したクライアント端末４０のネットワーク経路情報とをユーザーデータベース１０８に登録する。
【００４７】
続く、ステップＳＡ５にて、コンテンツ配信装置１０Ａの表示情報生成部１０４は、携帯電話端末用のアクセスページ情報をクライアント端末４０に送信する。このアクセスページ情報には、クライアント端末４０を所有するユーザーの携帯電話端末２０Ａが、コンテンツ配信装置１０Ａにインターネット５０を介して接続するための情報（例えば、ＱＲコードなどのバーコード情報等）と、クライアント端末４０を所有するユーザーのユーザー情報が含まれる。
【００４８】
ステップＳＡ６にて、クライアント端末４０の情報表示部２０８は、ステップＳＡ５において供給されたアクセスページ情報を、クライアント端末４０の出力部４２を介して出力する。
【００４９】
ステップＳＡ７にて、ユーザー操作により携帯電話端末２０Ａの入力部２１を介して、アクセスページ情報が携帯電話端末２０Ａに入力される。なお、アクセスページ情報の入力方法に関しては、携帯電話端末２０Ａの入力部２１を操作して入力する他、携帯電話端末２０Ａの電子メール機能を用いて入力する手法なども含まれる。
【００５０】
ステップＳＡ８にて、携帯電話端末２０Ａの処理部２３は、入力されたアクセスページ情報からユーザー情報を読み取って、通信部２４を介してコンテンツ配信装置１０Ａに送信する。
【００５１】
ステップＳＡ９にて、コンテンツ配信装置１０Ａのユーザー情報取得部１０９は、携帯電話端末２０Ａからのユーザー情報を読み取る。また、コンテンツ配信装置１０Ａの表示情報生成部１０４は、携帯電話端末２０Ａの地理的情報を取得するための地理情報取得ページを生成する。この地理情報取得ページ情報には、ユーザー情報と携帯電話端末２０ＡのＧＰＳ部２５を制御するコードが含まれる。
【００５２】
ステップＳＡ１０にて、コンテンツ配信装置１０Ａは、生成した地理情報取得ページ情報を、通信部１０１を介して携帯電話端末２０Ａに送信する。
【００５３】
ステップＳＡ１１にて、携帯電話端末２０Ａは、ＧＰＳ部２５を介して携帯電話端末２０Ａの地理的情報を取得する。続くステップＳＡ１２にて、携帯電話端末２０Ａは、ステップＳＳＡ１１において取得した地理的情報と、地理情報取得ページ情報に含まれるユーザー情報とを、コンテンツ配信装置１０Ａに送信する。
【００５４】
ステップＳＡ１３にて、コンテンツ配信装置１０Ａのユーザー情報登録部１０７は、ユーザー情報に基づいて、ステップＳＡ４において登録したクライアント端末４０のネットワーク情報と、ステップＳＡ１２で送信された携帯電話端末２０Ａの地理的情報とを結びつけてユーザーデータベース１０８に登録する。
【００５５】
以上のステップＳＡ１〜ＳＡ１３の処理を実行することにより、ある特定のユーザーのクライアント端末４０が存在する地理的な位置を特定することができる。
【００５６】
なお、上述した説明では、クライアント端末４０のネットワーク経路情報をコンテンツ配信装置１０Ａに登録した後に、携帯電話端末２０Ａを介して地理的情報をコンテンツ配信装置１０Ａに登録するようにしているが、携帯電話端末２０Ａを介して地理的情報をコンテンツ配信装置１０Ａに登録した後に、クライアント端末４０のネットワーク経路情報をコンテンツ配信装置１０Ａに登録するようにしても良い。すなわち、ステップＳＡ７〜ＳＡ１２の処理を実行することにより、携帯電話端末を介して利用者の地理的情報を登録した後、ステップＳＡ２〜ＳＡ５の処理を実行することによりクライアント端末４０のネットワーク経路情報に結びつけるようにしても良い。
【００５７】
また、上述した説明では、まず、所有者がクライアント端末を介して一意に特定するユーザー情報を入力するようにしているが、ユーザー情報の入力は、この例に限らず様々な局面で可能である。例えば、ステップＳＡ２〜ＳＡ４の間に、コンテンツ配信装置１０Ａ内部で、規則的もしくは乱数的にユーザー情報を生成し、それをクライアント端末４０に送信するようにしても良い。
【００５８】
次に、図５〜図７を参照して、第１の実施形態におけるコンテンツ配信システムにより地域を指定してコンテンツデータを配信する方法について説明する。
【００５９】
図５は、コンテンツデータの配信を開始する際の処理を示すフローチャートである。
まず、ステップＳＢ１にて、ユーザーがクライアント端末４０の入力部４１を介してユーザー情報を入力する。続いて、ステップＳＢ２にて、クライアント端末４０のユーザー情報送信部２０１は、入力されたユーザー情報を通信部４４を介してコンテンツ配信装置１０Ａに送信する。
【００６０】
ステップＳＢ３にて、コンテンツ配信装置１０Ａは、図４に示した位置情報取得処理を実行する。
【００６１】
ステップＳＢ４にて、コンテンツ配信装置１０Ａのアクティベーションキー生成部１１５は、ステップＳＢ３において取得された位置情報に基づいて、クライアント端末４０が存在する地理的位置が、コンテンツ入力部１１１を介して入力されたコンテンツ情報に含まれている配信地域の情報に含まれるか判定する。
【００６２】
その結果、配信地域の情報に含まれる地域にクライアント端末４０が存在している場合には、ステップＳＢ５に進み、そうでない場合には、ステップＳＢ８に進み、表示情報生成部１０４で対象地域でないメッセージを生成してクライアント端末４０に送信し、クライアント端末４０の出力部４２に出力させる。
【００６３】
ステップＳＢ５にて、コンテンツ配信装置１０Ａのアクティベーションキー生成部１１５は、クライアント端末４０のユーザーに一意なアクティベーションキーを生成し、アクティベーションキー送信部１１６を介してクライアント端末４０に送信する。
【００６４】
ステップＳＢ６にて、クライアント端末４０のアクティベーションキー取得部２０２は、クライアント端末４０の通信部４４を介してアクティベーションキーを受信する。そして、ステップＳＢ７にて、クライアント端末４０は、コンテンツ配信装置１０Ａからのコンテンツデータの受信を開始する。
【００６５】
以上のステップＳＢ１〜ステップＳＢ８の処理を実行することにより、クライアント端末４０の地理的情報に基づいたアクティベーションキーの配信を行うことができる。なお、アクティベーションキーの配信は、コンテンツの再生を開始する毎に行われる他、一定期間クライアント端末内に保存される場合も含まれる。
【００６６】
次に、図６を参照しながら、コンテンツデータの再生処理について説明する。
まず、コンテンツデータの受信を開始する（ステップＳＣ１）と、ステップＳＣ２にて、クライアント端末４０はコンテンツキーの取得を行う。ここで、クライアント端末４０の処理部４３は、コンテンツキー取得部２０３を介して、コンテンツ配信装置１０Ａのコンテンツキー送信部１１８から送信された暗号化されたコンテンツキーを取得する。
【００６７】
次に、ステップＳＣ３にて、クライアント端末４０のコンテンツキー復号部２０４は、図５に示したステップＳＢ６において取得したアクティベーションキーを用いて、ステップＳＣ２において取得した暗号化されたコンテンツキーを復号する。
【００６８】
ステップＳＣ４にて、クライアント端末４０の処理部４３は、コンテンツデータ取得部２０５を介して、コンテンツ配信装置１０Ａのコンテンツデータ送信部１１４から送信された暗号化されたコンテンツデータを取得する。
【００６９】
次に、ステップＳＣ５にて、クライアント端末４０のコンテンツデータ復号部２０６は、ステップＳＣ３において復号されたコンテンツキーを用いて、ステップＳ４において取得した暗号化されたコンテンツデータを復号する。そして、復号されたコンテンツデータを、クライアント端末４０の再生部２０７に出力する。
【００７０】
ステップＳＣ６にて、クライアント端末４０の再生部２０７は、復号されたコンテンツデータを再生する。
以降、ステップＳＣ４〜ＳＣ６の処理が繰り返される。
【００７１】
以上のステップＳＣ１〜ＳＣ６を実行することにより、クライアント端末４０は、クライアント端末４０の地理的情報に基づいたコンテンツデータを受信して再生を行う。なお、上述した説明では、ステップＳＣ４〜ＳＣ６の処理を繰り返すようにしているが、ステップＳＣ２〜ＳＣ６の処理を繰り返すようにしても良い。
【００７２】
上述した図５及び図６に示した処理を組み合わせることで、すべてのクライアント端末（ユーザー）に対して同一の暗号化されたコンテンツデータを配信しながら、特定の地域内に存在するユーザーにのみ暗号化されたコンテンツデータを復号するコンテンツキーを配布することが可能となる。これにより、特定の地域内に存在するクライアント端末のみにコンテンツデータを閲覧可能なように配信することができる。
【００７３】
上述した説明では、図５に示したように、コンテンツデータの配信を開始する際には、その都度、図４に示した位置情報取得処理を実行するようにしているが、図７に示すように処理を実行してもよい。
【００７４】
図７は、コンテンツデータの配信を開始する際の処理の他の例を示すフローチャートである。この図７において、図５に示した処理と同一の処理には同一の符号を付し、重複する説明は省略する。
【００７５】
図７に示す処理では、ステップＳＢ２に続くステップＳＢ１０にて、コンテンツ配信装置１０Ａのユーザー情報認証部１１０は、クライアント端末４０から送信されたユーザー情報に基づいて、クライアント端末４０の所有者の登録データをユーザーデータベース１０８から取り出すとともに、ネットワーク経路情報取得部１０６を介してクライアント端末４０のネットワーク経路情報を取得する。そして、ユーザー情報認証部１１０は、登録データに含まれるクライアント端末４０のネットワーク経路情報と、ネットワーク経路情報取得部１０６により取得したネットワーク経路情報が合致するか否かを判断する。
【００７６】
その判断の結果、登録データに含まれるネットワーク経路情報と、ネットワーク経路情報取得部１０６により取得したネットワーク経路情報が合致する場合には、ステップＳＢ４に進む。一方、合致しない場合には、ステップＳＢ１１に進み、再度図４に示した位置情報取得処理を実行してステップＳＢ４以降の処理を行う。
【００７７】
以上、図７に示した処理によれば、登録されているネットワーク経路情報と接続時のネットワーク経路情報とが一致する場合には、図４に示した位置情報取得処理を実行する必要がなく、処理を簡素化することができる。
【００７８】
（第２の実施形態）
次に、本発明の第２の実施形態について説明する。
上述した第１の実施形態では、携帯電話端末の地理的情報の取得にＧＰＳを利用するようにしているが、以下に説明する第２の実施形態は、携帯電話端末が通信する携帯電話基地局の地理的情報を利用してクライアント端末の地理的な位置を特定する。
【００７９】
第２の実施形態は、クライアント端末の地理的情報をコンテンツ配信装置のユーザーデータベースに登録する処理が上述した第１の実施形態と異なるだけであり、その他の構成等については同様であるので、第１の実施形態と同様の部分については、その説明を省略する。
【００８０】
図８は、第２の実施形態による地域指定型コンテンツ配信システムの構成例を示すブロック図である。この図８において、図１に示したブロック等と同一の機能を有するブロック等には同一の符号を付し、重複する説明は省略する。
【００８１】
図８に示すように、第２の実施形態による地域指定型コンテンツ配信システムは、コンテンツ配信装置１０Ａ、携帯電話端末２０Ｂ、携帯電話基地局３０、及びクライアント端末４０を有する。携帯電話端末２０Ｂとクライアント端末４０は、ある特定のユーザーに所有され操作される。
【００８２】
携帯電話端末２０Ｂは、入力部２１、出力部２２、処理部２３、及び通信部２４を有しており、図１に示した携帯電話端末２０Ａとは、ＧＰＳ部２５を有していない点が異なる。
【００８３】
次に、第２の実施形態における所有者の位置（クライアント端末４０が存在する位置）を示す位置情報を取得する位置情報取得処理の一例を、図９を参照して説明する。
【００８４】
まず、ステップＳＤ１にて、クライアント端末４０は、ユーザー情報をコンテンツ配信装置１０Ａに送信する。次に、ステップＳＤ２にて、コンテンツ配信装置１０Ａのユーザー情報取得部１０９は、クライアント端末４０から送信されたユーザー情報を取得する。ステップＳＤ３にて、コンテンツ配信装置１０Ａのネットワーク経路情報取得部１０６は、ユーザー情報を送信したクライアント端末４０のネットワーク経路情報を取得する。
【００８５】
次に、ステップＳＤ４にて、コンテンツ配信装置１０Ａのユーザー情報登録部１０７は、ステップＳＤ２において取得したユーザー情報と、ステップＳＤ３において取得したクライアント端末４０のネットワーク経路情報とをユーザーデータベース１０８に登録する。
【００８６】
続く、ステップＳＤ５にて、コンテンツ配信装置１０Ａの表示情報生成部１０４は、携帯電話端末用のアクセスページ情報をクライアント端末４０に送信する。このアクセスページ情報には、クライアント端末４０を所有するユーザーの携帯電話端末２０Ｂが、コンテンツ配信装置１０Ａにインターネット５０を介して接続するための情報と、クライアント端末４０を所有するユーザーのユーザー情報が含まれる。
【００８７】
ステップＳＤ６にて、クライアント端末４０の情報表示部２０８は、ステップＳＤ５において供給されたアクセスページ情報を、クライアント端末４０の出力部４２を介して出力する。
【００８８】
ステップＳＤ７にて、ユーザー操作によりは携帯電話端末２０Ｂの入力部２１を介して、アクセスページ情報が携帯電話端末２０Ｂに入力される。
ステップＳＤ８にて、携帯電話端末２０Ｂの処理部２３は、入力されたアクセスページ情報からユーザー情報を読み取って、通信部２４を介してコンテンツ配信装置１０Ｂに送信する。
【００８９】
ステップＳＤ９にて、コンテンツ配信装置１０Ａのユーザー情報取得部１０９は、携帯電話端末２０Ｂからのユーザー情報を読み取る。また、コンテンツ配信装置１０Ａの表示情報生成部１０４は、携帯電話端末２０Ｂの地理的情報を取得するための地理情報取得ページを生成する。この地理情報取得ページ情報には、ユーザー情報と携帯電話端末２０Ｂの位置情報を携帯電話基地局３０を介して送信するための制御コードが含まれる。
【００９０】
ステップＳＤ１０にて、コンテンツ配信装置１０Ａは、生成した地理情報取得ページ情報を、通信部１０１を介して携帯電話端末２０Ｂに送信する。
ステップＳＤ１１にて、携帯電話端末２０Ｂは、地理情報取得ページ情報に含まれるユーザー情報を読み取って、このユーザー情報と端末識別情報を携帯電話基地局３０に送信する。端末識別情報は、携帯電話基地局３０内で携帯電話端末２０Ｂを特定するための情報が含まれている。
【００９１】
ステップＳＤ１２にて、携帯電話基地局３０は、ステップＳＤ１１において携帯電話端末２０Ｂから送信されたユーザー情報に、携帯電話基地局３０の地理的な情報を付与してコンテンツ配信装置１０Ａに送信する。
【００９２】
ステップＳＤ１３にて、コンテンツ配信装置１０Ａのユーザー情報登録部１０７は、ユーザー情報に基づいて、ステップＳＤ４において登録したクライアント端末４０のネットワーク情報と、ステップＳＤ１２において携帯電話基地局３０が送信した地理的情報とを結びつけてユーザーデータベース１０８に登録する。
【００９３】
以上のステップＳＤ１〜ＳＤ１３の処理を実行することにより、ある特定のユーザーが持つクライアント端末４０が存在する地理的な位置を特定することができる。
【００９４】
なお、上述した説明では、クライアント端末４０のネットワーク経路情報をコンテンツ配信装置１０Ａに登録した後に、携帯電話基地局３０を介して地理的情報をコンテンツ配信装置１０Ａに登録するようにしているが、携帯電話基地局３０を介して地理的情報をコンテンツ配信装置１０Ａに登録した後に、クライアント端末４０のネットワーク経路情報をコンテンツ配信装置１０Ａに登録するようにしても良い。すなわち、ステップＳＤ７〜ＳＤ１３の処理を実行することにより、携帯電話端末を介して利用者の地理的情報を登録した後、ステップＳＤ２〜ＳＤ５の処理を実行することによりクライアント端末４０のネットワーク経路情報に結びつけるようにしても良い。
【００９５】
また、第１の実施形態と同様に、ユーザー情報をシステムに入力する局面は、この例に限らず様々な局面も可能である。例えば、ステップＳＤ２〜ＳＤ４の間に、コンテンツ配信装置１０Ａ内部で、規則的もしくは乱数的にユーザー情報を生成し、それをクライアント端末４０に送信するようにしても良い。
【００９６】
なお、第２の実施形態におけるコンテンツデータの配信は、第１の実施形態と同様であるので、説明は書略する。
以上のように、携帯電話基地局３０を介して利用者の地理的情報を取得しても、第１の実施形態と同様に、特定の地域内に存在するクライアント端末のみにコンテンツデータを閲覧可能なように配信することができる。
【００９７】
（第３の実施形態）
次に、本発明の第３の実施形態について説明する。第３の実施形態では、携帯電話事業者が提供する電話発呼者の発信地域指定技術を利用する。
【００９８】
図１０は、第３の実施形態による地域指定型コンテンツ配信システムの構成例を示すブロック図である。この図１０において、図１及び図８に示したブロック等と同一の機能を有するブロック等には同一の符号を付し、重複する説明は省略する。
【００９９】
図１０に示すように、第３の実施形態による地域指定型コンテンツ配信システムは、コンテンツ配信装置１０Ｂ、携帯電話端末２０Ｂ、携帯電話基地局３０、クライアント端末４０を有する。コンテンツ配信装置１０Ｂとクライアント端末４０はインターネット５０を介して通信可能に構成されている。また、携帯電話端末２０Ｂは、携帯電話基地局３０と通信可能に構成され、携帯電話基地局３０とコンテンツ配信装置１０Ｂの間は電話回線網６０を介して通信可能に構成されている。
【０１００】
第３の実施形態は、コンテンツ配信装置１０Ｂと携帯電話端末２０Ｂの通信態様が上述した第１及び第２の実施形態と異なるだけであり、その他の構成等については同様であるので、第１及び第２の実施形態と同様の部分については、その説明を省略する。
【０１０１】
第３の実施形態におけるコンテンツ配信装置１０Ｂの構成について説明する。
図１１は、コンテンツ配信装置１０Ｂの構成例を示すブロック図である。この図１１において、図２に示したブロック等と同一の機能を有するブロック等には同一の符号を付し、重複する説明は省略する。
【０１０２】
図１１に示すように、コンテンツ配信装置１０Ｂは、通信部１０１、入力部１０２、処理部１０３、及び電話回線網通信部１２１を有する。
電話回線網通信部１２１は、コンテンツ配信装置１０Ｂを電話回線網６０に対して接続するためのターミナルアダプタなど通信インターフェースなどにより構成される。電話回線網通信部１２１は、電話回線網６０を介してコンテンツ配信装置宛に送られてきた情報を受信して処理部１０３に出力する。
【０１０３】
処理部１０３は、表示情報生成部１０４、ネットワーク経路情報取得部１０６、ユーザー情報登録部１０７、ユーザーデータベース１０８、ユーザー情報取得部１０９、ユーザー情報認証部１１０、コンテンツ入力部１１１、コンテンツキー生成部１１２、コンテンツデータ暗号化部１１３、コンテンツデータ送信部１１４、アクティベーションキー生成部１１５、及びアクティベーションキー送信部１１６、コンテンツキー暗号化部１１７、コンテンツキー送信部１１８、及び電話番号取得部１２２を有する。
【０１０４】
電話番号取得部１２２は、電話回線網通信部１２１を介して、携帯電話端末２０Ｂからの接続を受け付け、発信先となる回線番号、付与されたサブアドレス、及び発信者番号を読み取る。
【０１０５】
次に、第３の実施形態における所有者の位置（クライアント端末４０が存在する位置）を示す位置情報を取得する位置情報取得処理の一例を、図１２を参照して説明する。
【０１０６】
まず、ステップＳＥ１にて、クライアント端末４０は、ユーザー情報をコンテンツ配信装置１０Ｂに送信する。このユーザー情報には、クライアント端末４０を所有するユーザーを一意に示すための情報と、ステップＳＥ５で生成される電話番号情報のための地域情報が含まれる。
【０１０７】
次に、ステップＳＥ２にて、コンテンツ配信装置１０Ｂのユーザー情報取得部１０９は、クライアント端末４０から送信されたユーザー情報を取得する。ステップＳＥ３にて、コンテンツ配信装置１０Ｂのネットワーク経路情報取得部１０６は、ユーザー情報を送信したクライアント端末４０のネットワーク経路情報を取得する。
【０１０８】
次に、ステップＳＥ４にて、コンテンツ配信装置１０Ｂのユーザー情報登録部１０７は、ステップＳＥ２において取得したユーザー情報と、ステップＳＥ３において取得したクライアント端末４０のネットワーク経路情報とをユーザーデータベース１０８に登録する。
【０１０９】
続く、ステップＳＥ５にて、コンテンツ配信装置１０Ｂの表示情報生成部１０４は、地域特定のための電話番号情報をクライアント端末４０に送信する。この電話番号情報は、地理的情報によって一意に決定され、特定地域内に存在する携帯電話基地局からの発呼のみ受け付けるように予め配信者により携帯電話事業者に設定されている。電話番号情報には、コンテンツ配信装置１０Ｂが持つ電話回線網通信部１２１の電話番号と、ユーザー情報から一意に生成されるサブアドレス情報が含まれる。
【０１１０】
ステップＳＥ６にて、クライアント端末４０の情報表示部２０８は、ステップＳＥ５において供給された地域特定のための電話番号情報を、クライアント端末４０の出力部４２を介して出力する。
【０１１１】
ステップＳＥ７にて、携帯電話端末２０Ｂの所有者は、ステップＳＥ６において表示された電話番号情報を携帯電話端末２０Ｂに入力する。ステップＳＥ８にて、携帯電話端末が操作され前記番号への発呼が行われる。
【０１１２】
ステップＳＥ９にて、携帯電話端末２０Ｂが接続した携帯電話基地局３０が、配信者が設定した発呼を許可する指定地域に含まれているか、携帯電話事業者により判断される。携帯電話端末２０Ｂが接続した携帯電話基地局３０が指定地域に含まれている場合には、電話回線網６０を通じて、携帯電話端末２０Ｂはコンテンツ配信装置１０Ｂに接続が許可され、ステップＳＥ１０に進む。一方、携帯電話端末２０Ｂが接続した携帯電話基地局３０が指定地域に含まれていない場合には、ステップＳＳＥ１１にて、携帯電話事業者より携帯電話端末２０Ｂに向けて接続できない旨のメッセージが配信され、処理を終了する。
【０１１３】
ステップＳＥ１０にて、コンテンツ配信装置１０Ｂの電話番号取得部１２２は、ステップＳＥ５において設定したクライアント端末４０のユーザー情報を示すサブアドレス部を認識し、クライアント端末４０と回線番号毎に設定された地域を結びつけて、ユーザーデータベース１０８に登録する。
【０１１４】
ステップＳＥ１〜ＳＥ１１の処理を実行することにより、電話回線網６０を通じて携帯電話端末２０Ｂの所有者とクライアント端末４０の所有者とを一意に結びつけ、地域の特定を行う。
【０１１５】
なお、第３の実施形態におけるコンテンツデータの配信は、第１の実施形態と同様であるので、説明は省略する。
以上のように、第３の実施形態によれば、第１の実施形態と同様に、特定の地域内に存在するクライアント端末のみにコンテンツデータを閲覧可能なように配信することができる。
【０１１６】
（本発明の他の実施形態）
なお、以上に説明したコンテンツ配信装置１０Ａ、１０Ｂは、コンピュータのＣＰＵあるいはＭＰＵ、ＲＡＭ、ＲＯＭなどで構成されるものであり、ＲＡＭやＲＯＭに記憶されたプログラムが動作することによって実現できる。したがって、コンピュータが前記機能を果たすように動作させるプログラムを、例えばＣＤ−ＲＯＭのような記録媒体に記録し、コンピュータに読み込ませることによって実現できるものである。前記プログラムを記録する記録媒体としては、ＣＤ−ＲＯＭ以外に、フレキシブルディスク、ハードディスク、磁気テープ、光磁気ディスク、不揮発性メモリカード等を用いることができる。
また、コンピュータが供給されたプログラムを実行することにより上述の実施形態の機能が実現されるだけでなく、そのプログラムがコンピュータにおいて稼働しているＯＳ（オペレーティングシステム）あるいは他のアプリケーションソフト等と共同して上述の実施形態の機能が実現される場合や、供給されたプログラムの処理の全てあるいは一部がコンピュータの機能拡張ボードや機能拡張ユニットにより行われて上述の実施形態の機能が実現される場合も、かかるプログラムは本発明の実施形態に含まれる。
また、本発明をネットワーク環境で利用するべく、全部あるいは一部のプログラムが他のコンピュータで実行されるようになっていても良い。例えば、画面入力処理は、遠隔端末コンピュータで行われ、各種判断、ログ記録等は他のセンターコンピュータ等で行われるようにしても良い。
【０１１７】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【０１１８】
【図１】第１の実施形態における地域指定型コンテンツ配信システムの構成例を示す図である。
【図２】第１の実施形態におけるコンテンツ配信装置の構成例を示す図である。
【図３】第１の実施形態におけるクライアント端末の構成例を示す図である。
【図４】第１の実施形態における位置情報取得処理の一例を示す図である。
【図５】第１の実施形態におけるコンテンツデータの配信を開始する際の処理を示すフローチャートである。
【図６】第１の実施形態におけるコンテンツデータの再生処理を示すフローチャートである。
【図７】第１の実施形態におけるコンテンツデータの配信を開始する際の処理の他の例を示すフローチャートである。
【図８】第２の実施形態における地域指定型コンテンツ配信システムの構成例を示す図である。
【図９】第２の実施形態における位置情報取得処理の一例を示す図である。
【図１０】第３の実施形態における地域指定型コンテンツ配信システムの構成例を示す図である。
【図１１】第３の実施形態におけるコンテンツ配信装置の構成例を示す図である。
【図１２】第３の実施形態における位置情報取得処理の一例を示す図である。
【符号の説明】
【０１１９】
１０Ａ、１０Ｂ  コンテンツ配信装置
２０Ａ、２０Ｂ  携帯電話端末
２１  入力部
２２  出力部
２３  処理部
２４  通信部
２５  ＧＰＳ部
３０  携帯電話基地局
４０  クライアント端末
４１  入力部
４２  出力部
４３  処理部
４４  通信部
５０  インターネット網
６０  電話回線網
１０１  通信部
１０２  入力部
１０３  処理部
【図１】
2008262495.tif 000003
【図２】
2008262495.tif 000004
【図３】
2008262495.tif 000005
【図４】
2008262495.tif 000006
【図５】
2008262495.tif 000007
【図６】
2008262495.tif 000008
【図７】
2008262495.tif 000009
【図８】
2008262495.tif 000010
【図９】
2008262495.tif 000011
【図１０】
2008262495.tif 000012
【図１１】
2008262495.tif 000013
【図１２】
2008262495.tif 000014